(57)【特許請求の範囲】
【請求項１】
内装材用接着剤を塗布する内装材用接着剤塗布具であって、
把握部、塗布部、及び、前記塗布部を被覆する被覆部を有し、
前記被覆部が、内装材用接着剤を塗布する塗布面側とは反対の裏面側の塗布部を被覆しており、
前記塗布部が、前記被覆部の先端から前記塗布面側に渡って設けられた不織布によって形成されていることを特徴とする内装材用接着剤塗布具。
【請求項２】
前記被覆部の先端部塗布面側に突起が形成されており、前記不織布が、前記被覆部の先端から前記突起を含んで塗布面側に渡って設けられている請求項１に記載の内装材用接着剤塗布具。
【請求項３】
前記突起が側面視略円弧状である請求項２に記載の内装材用接着剤塗布具。
【請求項４】
不織布の目付けが２００〜５００ｇ／ｍ２である請求項１〜３の何れか一項に記載の内装材用接着剤塗布具。
【請求項５】
不織布により形成された塗布部は、その不織布の繊維に研磨粒子が付着されてなる請求項１〜４の何れか一項に記載の内装材用接着剤塗布具。
【発明の詳細な説明】
【技術分野】
【０００１】
本発明は、内装材用接着剤を塗布するための内装材用接着剤塗布具に関する。
【背景技術】
【０００２】
近年、一戸建てやマンション等の住宅、及び、オフィス等の、新築やリフォームが盛んに行われている。
これらの施工現場では、床材や壁紙等の内装材を施工する際に、下地面に接着剤が塗布されることとなる。下地面に接着剤を塗布するための塗布具として、様々な器具が提案されている。
【０００３】
例えば、床材を施工する際に用いられる床材用接着剤塗布具として、板状の塗布部の端縁部に、所定の間隔を置いて凹凸状の櫛目が形成された櫛目ごてが提案されている（特許文献１参照）。
【０００４】
これらの櫛目ごてを用いて下地面上に接着剤を塗布すると、櫛目から漏れた接着剤が一定間隔で所定の高さの山形形状に残存するので、接着剤が下地面上に一定の塗布量で塗布される。
【先行技術文献】
【特許文献】
【０００５】
【特許文献１】特開２００７−２６２６９２号公報
【発明の概要】
【発明が解決しようとする課題】
【０００６】
しかし、近年、住宅のリフォームにおいては、比較的厚みが薄い床材を張ることが多くなっている。上述した櫛目ごてを用いて接着剤を塗布し、厚みが薄い床材を張った場合、接着剤の山形形状が床材表面に現れ、床材表面に微細な凹凸の筋が視認されてしまう。
【０００７】
また、リフォームにおいて、既存の床材を下地面から剥がさず、フローリング等の上に直接新しい床材を張る場合があり、上述した櫛目ごてを用いると、櫛目により下地であるフローリング等の表面を傷付けてしまう。
【０００８】
さらに、モルタルの下地上に床材を張る場合、上述した櫛目ごてを用いると櫛目凸部の先端が磨耗してしまい、下地面上に塗布される接着剤の山形形状の高さが低くなり、塗布量が少なくなってしまう。このため、施工作業の開始時と終了時では、塗布量が大きく異なってしまい塗布量が安定しない。
【０００９】
本発明者等は、内装材用接着剤塗布具の塗布部を不織布で形成することにより、接着剤が山形形状に塗布されないため床材表面に微細な凹凸の筋が視認されず、櫛目が存在しないため下地であるフローリング等の表面を傷付けずに接着剤を塗布でき、櫛目の磨耗による塗布量のばらつきを生じないことに着目した。
【００１０】
しかしながら、このような内装材用接着剤塗布具は、板状の把握部の一方の端縁部に、塗布面側から当該端縁部を介して裏面側に渡って不織布を折り曲げて沿わせ、接着することにより形成される。なお、本明細書においては、内装材用接着剤塗布具の塗布側の面を「塗布面」、塗布面とは反対側の面を「裏面」という。
このような内装材用接着剤塗布具を用いて接着剤を塗布する場合、接着剤が不織布に含浸される。このため、不織布の裏面側に接着剤が浸透して表出してしまう場合がある。このような現象は、通常、裏面への接着剤の「乗り上げ」と言われている。このような状態で、接着剤の塗布を行った場合、裏面側の不織布が壁面に接触して、壁紙を汚染してしまうことがある。
また、施工者は、裏面を指で押圧して、下地面に接着剤を塗布する場合がある。このとき、施工者の指が裏面に乗り上げた接着剤に接触すると、指が汚染され、当該指が接触した壁紙等の他の部材を間接的に汚染してしまうこととなる。
【００１１】
本発明者等は、鋭意検討の結果、内装材用接着剤塗布具の裏面に不織布を被覆する被覆部を設けることにより、裏面側の不織布の壁面への接触を抑制できることを見出した。
また、かかる構成により、塗布時に施工者の指が、接着剤の乗り上げた不織布に接触することを抑制できることを見出した。
さらに、これらの特性により、施工時に壁紙等の部材の汚染を抑制できることを見出した。
そして、このような内装材用接着剤塗布具は、下地面への内装材用接着剤の塗布、特に、床材用接着剤の塗布に好適に用いることができることができ、上記課題をみごとに解決することができることに想到し、本発明に到達したものである。
【００１２】
本発明は、上記の事情に鑑みてなされたものであり、下地面を傷付けず、薄い床材を施工しても接着剤の山形形状が視認されず、塗布量が一定であり、裏面への接着剤の乗り上げにより、壁紙や施工者の手を汚染しない内装材用接着剤塗布具を提供することを課題とする。
【課題を解決するための手段】
【００１３】
本発明に係る内装材用接着剤塗布具は、上記の事情に鑑みてなされたものであり、内装材用接着剤を塗布する内装材用接着剤塗布具であって、把握部、塗布部、及び、前記塗布部を被覆する被覆部を有し、上記被覆部が、内装材用接着剤を塗布する塗布面側とは反対の裏面側の塗布部を被覆しており、上記塗布部が、上記被覆部の先端から上記塗布面側に渡って設けられた不織布によって形成されていることを特徴とする。
【００１４】
かかる構成によれば、下地面を傷付けず、薄い床材を施工しても接着剤の山形形状が視認されず、塗布量が一定であり、裏面への接着剤の乗り上げにより壁紙や施工者の手を汚染しない内装材用接着剤塗布具を提供することができる。
【００１５】
また、本発明に係る内装材用接着剤塗布具は、被覆部の先端と、塗布部先端との距離が、１〜１０ｍｍであることが好ましい。
【００１６】
かかる構成によれば、裏面への接着剤の乗り上げをより効果的に抑制することができる。
【００１７】
また、本発明に係る内装材用接着剤塗布具は、被覆部の先端部塗布面側に、突起が形成されており、不織布が、被覆部の先端から突起を含んで塗布面側に渡って設けられていることが好ましい。より好ましくは、突起は側面視略円弧状である。
【００１８】
かかる構成によれば、不織布が被覆部の先端部と下地面とで挟まれても、過度に圧力が集中することがなく破損を生じにくいので、長期間に渡って使用することができる。
【００１９】
また、本発明に係る内装材用接着剤塗布具は、不織布の目付けが２００〜５００ｇ／ｍ２であることが好ましい。
【００２０】
かかる構成によれば、不織布が適度な空隙を有するので、内装材用接着剤を適度な塗布量で塗布できる。
【００２１】
また、本発明に係る内装材用接着剤塗布具は、不織布により形成された塗布部は、その不織布の繊維に研磨粒子が付着されてなることが好ましい。
【００２２】
かかる構成によれば、塗布部と下地面との摩擦により、不織布が摩耗することを抑制できる。
【発明の効果】
【００２３】
本発明によれば、下地面を傷付けず、薄い床材を施工しても接着剤の山形形状が視認されず、塗布量が一定であり、裏面への接着剤の乗り上げにより、壁紙や施工者の手を汚染しない内装材用接着剤塗布具を提供することができる。
【図面の簡単な説明】
【００２４】
【図１】本発明の１つの実施形態に係る内装材用接着剤塗布具の平面図であり、（ａ）は、塗布面側の平面図を表し、（ｂ）は裏面側の平面図を表す。
【図２】同側面図である。
【図３】同側面拡大図である。
【図４】塗布部側面が、塗布部側面被覆部５に被覆された状態の側面図。
【図５】本発明の１つの実施形態に係る内装材用接着剤塗布具の塗布面側の平面図。
【図６】本発明の他の実施形態に係る内装材用接着剤塗布具の側面拡大図。
【図７】緩衝材６の側面図。
【図８】本発明の他の実施形態に係る内装材用接着剤塗布具の製造過程で、把握部３に緩衝材６を設けた状態を示す平面図。
【図９】本発明の他の実施形態に係る内装材用接着剤塗布具の製造過程で、把握部３に緩衝材６を部分的に設けた状態を示す平面図。
【発明を実施するための形態】
【００２５】
以下、本発明の好ましい実施形態について、図面を参照しつつ説明する。なお、各図において、各部材又は各部の長さ、厚み、及び大きさは、実際のものとは異なっていることに留意されたい。
【００２６】
図１、及び、図２に示すように、本発明の内装材用接着剤塗布具１は、塗布部２、把握部３、及び、被覆部４から構成される。
なお、本実施形態においては、裏面側の被覆部４は、把握部３と一体的に形成されている。
図１において、図１（ａ）は、本発明の内装材用接着剤塗布具１の塗布面１ａ側の平面図であり、（ｂ）は、裏面１ｂ側の平面図である。
【００２７】
（塗布部）
塗布部２は、本発明の内装材用接着剤塗布具１の一方の端縁部に設けられ、内装材用接着剤を含んだ状態で下地面と接することにより、下地面に接着剤を塗布する部材である。
【００２８】
本実施形態において、上記塗布部２は、裏面側の被覆部４の先端から、塗布面側に渡って、不織布を折り返すことにより構成されている。
【００２９】
上記塗布部２は、不織布により形成されている。塗布部２を不織布で形成することにより、例えば、リフォームにおいてフローリング等の既存の床材上に直接床材を張る場合であっても、下地面となるフローリング等の表面を傷付けることを抑制することができる。
【００３０】
また、塗布部２を不織布で形成することにより、櫛目ごてを用いた場合のように、下地面上に山形形状に接着剤が塗布されることがなく、下地面に均一に接着剤を塗布することができる。このため、厚みが薄い床材を施工する場合であっても、接着剤の山形形状が内装材表面に現れて床面に微細な凹凸の筋が視認されることがない。
【００３１】
さらに、塗布部２を不織布で形成することにより、床材の施工対象となるモルタルやコンクリート等の硬い下地面に接着剤を塗布する場合であっても、櫛目ごてを用いた場合のように、櫛目の先端が磨耗し、下地面上に塗布される接着剤の山形形状の高さが低下して塗布量が変化することがない。このため、施工作業の開始時と終了時とで塗布量を略一定とすることができ、安定した塗布量で内装材用接着剤を塗布することができる。
【００３２】
上記不織布を形成する材質としては、内装材用接着剤を含むことができるものであれば特に限定されないが、合成樹脂を挙げることができる。
上記合成樹脂としては、例えば、ナイロン樹脂、アクリル樹脂、ウレタン樹脂、ポリエステル樹脂、ポリプロピレン樹脂が挙げられる。
なかでも、耐磨耗性と、初期形状維持性に優れるので接着剤塗布量を一定とすることができ、安価で加工が容易な点から、ナイロン樹脂が好ましい。
【００３３】
上記不織布の目付けは、２００〜５００g／ｍ２であることが好ましい。目付けを上記範囲とすることにより不織布中に適度な空隙を有するので、内装材用接着剤を適度な塗布量で塗布することができる。特に、上記範囲の目付けとすることにより、床材施工のように接着剤を多く用いる必要がある場合でも、安定した塗布量で接着剤を塗布することができる。
また、目付けが上記範囲であると、不織布が押圧されても不織布中に適度な空隙を保持することができるので、施工者の力加減が異なる場合であっても、内装材用接着剤の塗布量を一定とすることができる。
上記目付けが２００g／ｍ２未満であると、施工者の手に刷毛と下地面とが接触する衝撃が強く伝わるため、施工者の手が疲労して作業性が劣り、また、下地面の不陸に追従することができないため、塗りムラが発生し、下地面に接着剤を均一に塗布できないおそれがある。床材の施工対象となるモルタルやコンクリート等の硬い下地面に接着剤を塗布する場合は、施工者の手が疲労しやすく、下地面の不陸も比較的大きい場合が多い。
一方、上記目付けが５００g／ｍ２を超えると、不織布中の空隙が多くなりすぎ、不織布に接着剤が過剰に含まれるため、施工者の力加減によって、塗布量が変化してしまうおそれがある。
上記目付けは、２２０〜４００g／ｍ２であることがより好ましく、２４０〜３００g／ｍ２であることがさらに好ましい。
なお、上記目付けは、不織布の重量を測定し、単位面積当たりの重量に換算することにより測定することができる。
【００３４】
上記不織布は、樹脂が含浸されてなることが好ましい。不織布に樹脂を含浸することにより、不織布を形成する繊維を補強することができるため、形状復元力に優れ、また、塗布時に不織布が押圧されても空隙を一定に保持することができ、接着剤の塗布量が、より安定となる。特に、床材の施工対象となるモルタルやコンクリート等の硬い下地面に接着剤を塗布する場合は、不織布が磨耗や破損を生じやすいので、繊維を樹脂で補強することが望ましい。
【００３５】
上記含浸に用いる樹脂は、不織布の繊維を補強することができれば特に限定されないが、例えば、アクリル樹脂、ウレタン樹脂、ポリエチレン樹脂、エチレン−酢酸ビニル共重合樹脂、ポリプロピレン樹脂、軟質ポリ塩化ビニル樹脂、スチレン−ブタジエンゴム等が挙げられる。
なかでも、アクリル樹脂を用いることが好ましい。アクリル樹脂を用いると、水に対する分散性が良好であるため容易に不織布繊維に含浸させることができ、且つ、不織布繊維を強固に補強することができる。
【００３６】
上記樹脂の含浸量は、不織布１００質量部に対して、１０〜３００質量部であることが好ましく、１５〜２５０質量部であることがより好ましい。
樹脂の含浸量が余りに少ないと、不織布中の繊維を十分に補強することができないため、接着剤の塗布量を一定に保つという効果を十分に発揮することができないおそれがある。
一方、樹脂の含浸量が多すぎると、樹脂が不織布中の空隙を閉塞することにより、不織布の内装材用接着剤の含有量が減少し、十分な塗布量を得ることができないおそれがある。
なお、上記樹脂含浸量は、樹脂含浸前の不織布の重量と樹脂含浸後の不織布の重量との差を算出することにより得られた、不織布全体の樹脂含浸量を、不織布１００質量部あたりの樹脂含浸量に換算して得られた値である。
【００３７】
上記樹脂の含浸方法としては特に限定されないが、例えば、樹脂を水などの溶媒に溶解させ、得られた溶液をスプレー等で不織布に噴射することにより塗布して乾燥させる方法、得られた溶液に不織布を浸漬して乾燥させる方法等が挙げられる。
【００３８】
上記不織布は、また、繊維表面に研磨粒子が付着したものであることが好ましい。繊維表面に研磨粒子が付着することにより、不織布と下地面との摩擦による不織布の磨耗を抑制することができる。特に、床材の施工対象となるモルタルやコンクリート等の硬い下地面に接着剤を塗布する場合は、不織布が磨耗しやすいので、研磨粒子を繊維表面に付着させると不織布の磨耗を効果的に抑制することができる。
【００３９】
上記研磨粒子は、不織布の繊維表面に付着することができ、不織布繊維を保護することができれば特に限定されないが、例えば、ポリエステル、ポリメタクリレート、ポリカーボネート及びポリスチレン等のポリマー粒子、アルミニウム、鉄、タングステン等の金属粒子、ガラス、シリカ等の無機粒子を用いることができる。
【００４０】
上記研磨粒子の粒子径は、１〜１００μｍであることが好ましい。１０〜８０μｍであることがより好ましく、２０〜６０μｍであることがさらに好ましい。
研磨粒子の粒子径が余りに大径であると、下地面がフローリング等の既存の床材の場合に、当該既存の床材表面を傷付けてしまうおそれがある。
一方、研磨粒子の粒子径が余りに小径であると、不織布の磨耗抑制効果を十分に発揮できないおそれがある。
【００４１】
上記研磨粒子を繊維表面に付着させる方法は、特に限定されないが、例えば、樹脂を含浸させるための溶液に研磨粒子を添加し、当該溶液をスプレー等で不織布に噴射することにより塗布して乾燥させる方法、得られた溶液に不織布を浸漬して乾燥させる方法等が挙げられる。
【００４２】
上記塗布部２の厚みは、１〜２０ｍｍであることが好ましく、３〜１５ｍｍであることがより好ましい。
塗布部２の厚みが余りに薄いと目付けが少なくなり過ぎて作業性に劣り、下地面の不陸に追従することができず、塗りムラが発生するおそれがある。
塗布部２の厚みが余りに厚いと、目付けが多くなり過ぎ、施工者の力加減により塗布量がばらついて一定とならないおそれがある。また、床材を施工するために下地面に接着剤を塗布する場合、部屋の入り隅部を塗布する際に、壁面に接着剤が付着して、壁面を汚染してしまうおそれがある。
【００４３】
図３に示される、塗布部２の塗布面側２ａの不織布の長さＬ２２は、１〜１００ｍｍであることが好ましく、５〜５０ｍｍであることがより好ましい。
上記塗布面側２ａの不織布の長さＬ２２が短すぎると、不織布に含有可能な接着剤量が少量となり、下地面への接着剤の塗布量を十分に確保できないおそれがある。
上記塗布面側２ａの不織布の長さＬ２２が長すぎると、施工者が把握部を握った際に親指が不織布に接触して汚染されることにより、当該指が接触した壁紙等の部材を間接的に汚染するおそれがある。
【００４４】
（被覆部）
被覆部４は、本発明の内装材用接着剤塗布具１の裏面側の塗布部２の把握部側を被覆し、接着剤の裏面への乗り上げを抑制する部材である。
【００４５】
上記被覆部４は、内装材用接着剤塗布具１の裏面側において、把握部３の塗布部側端部から塗布部２を被覆するように形成される。裏面側の塗布部２を被覆することにより、裏面への接着剤の乗り上げによる壁紙や施工者の手の汚染を抑制することができる。
【００４６】
本実施形態において、図３に示されるように、裏面側の被覆部４は、把握部３と一体的に形成されている。裏面側の被覆部４と、把握部３とを一体的に形成すると、被覆部４の把握部３からの脱落を防止することができ、また、製造工程を減少できる点で好ましい。
【００４７】
図３において示される、塗布部２の裏面側２ｃを被覆する被覆部４の先端４ｂと塗布部２の先端２ｂとの距離Ｌ２１は、１〜１０ｍｍであることが好ましく、３〜７ｍｍであることがより好ましい。
上記被覆部４の先端４ｂと塗布部２の先端２ｂとの距離Ｌ２１が短すぎると、塗布作業時に被覆部４の先端が下地面に接し、塗布部により塗布された接着剤を擦り取ってしまうおそれがある。
一方、上記被覆部４の先端４ｂと塗布部２の先端２ｂとの距離Ｌ２１が長すぎると、施工時に裏面側の塗布部２を形成する不織布が壁面に接触して壁紙を汚染するおそれがあり、また、施工者の指が接着剤を吸収した不織布に接触して汚染されることにより、当該指が接触した壁紙等の部材を間接的に汚染するおそれがある。
【００４８】
図３に示される本実施形態において、被覆部４は、先端部塗布面側に略球状の突起４ａが形成されている。このように、本発明の内装材用接着剤塗布具１は、被覆部４の先端部塗布面側に略球状の突起４ａが形成されてなることが好ましい。本実施形態のように、被覆部４と把握部３とが一体的に形成されている場合、内装材用接着剤塗布具１を用いて下地面に接着剤を塗布すると、塗布部２を形成する不織布は、被覆部４により下地面に押圧される。このとき、被覆部４の先端部が略球状であると、不織布が被覆部４の先端部と下地面とで挟まれても、過度に圧力が集中することがなく当該部分から破損を生じにくいので、長期間に渡って使用することができるので、望ましい。
【００４９】
上記被覆部４を形成する材質としては、適度な強度を示すものであれば特に限定されないが、例えば、ポリプロピレン樹脂等の合成樹脂、ＭＤＦ材等の木質材、アルミ、鉄、ステンレス等の金属等が挙げられる。
なかでも、成形が容易で強度に優れる点で、合成樹脂が好ましい。
【００５０】
上記合成樹脂としては、ポリプロピレン樹脂、ポリスチレン樹脂、塩化ビニル樹脂、アクリル樹脂、または、軟質塩化ビニル樹脂、ウレタン樹脂、ＳＢＲ樹脂、ＮＢＲ樹脂、若しくは、塩化ビニル樹脂、ウレタン樹脂、ポリエチレン樹脂の、樹脂発泡体などの緩衝作用にすぐれた樹脂を用いることができる。
なかでも、成形が容易で耐久性に優れる点で、ポリプロピレン樹脂、及び、塩化ビニル樹脂が好ましい。
【００５１】
本発明の内装材用接着剤塗布具１は、さらに、塗布部２の塗布面側２ａの一部が被覆部４により被覆されてなることが好ましい。
上記塗布部２の塗布面側２ａの一部が被覆部４により被覆されることにより、塗布部２を把握部３に強固に固定することができ、また、塗布面側の不織布の余分な接着剤の含有を抑え、壁紙等の不測の汚染を抑制することができる。
【００５２】
本発明の内装材用接着剤塗布具１は、図４に示すように、塗布部側面が、塗布部側面被覆部５に被覆されてなることが好ましい。
塗布部側面が塗布部側面被覆部５に被覆されてなることにより、壁際を施工する際の壁紙の汚染を抑制することができる。
【００５３】
（把握部）
本発明の内装材用接着剤塗布具１は、また、把握部３を有する。上記把握部３は、一方の端縁部に塗布部２が形成され、内装材用接着剤塗布時に施工者が把握する部材である。本実施形態において、上記把握部３は平面視略台形に形成されている。また、上述したように、本実施形態においては、把握部３は、被覆部４と一体的に形成されている。
【００５４】
上記把握部３の形状は、施工者が把握することができれば特に限定されず、例えば、台形、四角形、半円形の形状が挙げられる。作業性が良い点で、台形であることが好ましい。特に、台形である場合、図１のように、底辺側の端縁部に塗布部２を設けることが好ましい。底辺側の端縁部に塗布部２を設けることにより、軽量で、且つ、塗布幅が広いため、作業効率に優れた内装材用接着剤塗布具１を得ることができる。
【００５５】
上記把握部３は、図５で示される高さＨ３が、５０〜２００ｍｍであることが好ましい。７０〜１６０ｍｍであることがより好ましく、９０〜１３０ｍｍであることがさらに好ましい。
高さＨ３が高すぎると、取り回しが困難となり、作業性に劣るおそれがある。
また、高さＨ３が低すぎると、施工者が把握部３を把握した際に、施工者の指先が被覆部４を越えて塗布部２に接触して接着剤が付着しやすくなる。施工者の指に接着剤が付着すると、当該指が接触した壁紙等の部材を間接的に汚染するおそれがある。
【００５６】
上記把握部３は、また、図５で示される上辺の長さＬ３ａが、５０〜２００ｍｍであることが好ましい。７０〜１５０ｍｍであることがより好ましく、９０〜１３０ｍｍであることがさらに好ましい。
上辺の長さＬ３ａが短すぎると、把握部３が把握し難くなり、作業性に劣るおそれがある。また、長さＬ３ａが長すぎると、取り回しが困難となり、作業性に劣るおそれがある。
【００５７】
上記把握部３は、また、図５で示される底辺の長さＬ３ｂが、１００〜３００ｃｍであることが好ましい。１５０〜２５０ｍｍであることがより好ましく、１８０〜２２０ｍｍであることがさらに好ましい。
底辺の長さＬ３ｂが短すぎると、下地面と接触する塗布部の面積が狭くなり、施工の際の作業回数が多くなるので、作業効率が低下するおそれがある。また、長さＬ３ｂが長すぎると、下地面と接触する塗布部の面積が広くなりすぎ、作業に要する力が大きくなるので施工者に負担がかかり、作業性に劣るおそれがある。
【００５８】
上記把握部３は、図５に示されるように、リブ３１が形成されてなることが好ましい。リブ３１が形成されることにより、把握部３に一定の強度を持たせることができるので、塗布時に把握部を押圧しても反りを生じ難くなり作業性に優れる。
【００５９】
上記リブ３１は、把握部外周に形成されてなることが好ましい。外周に形成されることにより、作業者が把握しても指がリブにかかることがなく、把握し易いので施工性に優れる。
【００６０】
上記把握部３は、図５に示すように、塗布面側に、当該面が塗布面側であることを表示する表示部３２を有することが好ましい。
【００６１】
かかる構成によれば、施工者は、この表示部の表示を目視で確認することにより、本発明の床材用接着剤塗布具１の塗布面側を容易に確認しでき、速やかに施工を行うことができる。
【００６２】
上記把握部３を形成する材質は、適度な強度を示すものであれば特に限定されないが、例えば、ポリプロピレン樹脂等の合成樹脂、ＭＤＦ材等の木質材、アルミ、鉄、ステンレス等の金属等が挙げられる。
なかでも、成形が容易で強度に優れる点で、合成樹脂が好ましく、軽量であり、安価で加工が容易な点で木質材が好ましい。
【００６３】
上記合成樹脂としては、ポリプロピレン樹脂、ポリスチレン樹脂、塩化ビニル樹脂、アクリル樹脂、または、軟質塩化ビニル樹脂、ウレタン樹脂、ＳＢＲ樹脂、ＮＢＲ樹脂、若しくは、塩化ビニル樹脂、ウレタン樹脂、ポリエチレン樹脂の、樹脂発泡体などの緩衝作用に優れた樹脂を用いることができる。
なかでも、成形が容易で耐久性に優れる点で、ポリプロピレン樹脂、及び、塩化ビニル樹脂が好ましい。
【００６４】
次に、本発明の内装材用接着剤塗布具１の他の実施形態を示す。
以下、他の実施形態について説明するが、上記実施形態と同様の構成及び効果についてはその説明を省略し、用語及び図番を援用する場合がある。
【００６５】
上記実施形態において、裏面側の被覆部４は、把握部３と一体的に形成されているが、他の実施形態として、裏面側の被覆部４と把握部３とを一体的に形成せず、別体として形成することもできる。
【００６６】
例えば、図６（ａ）〜（ｃ）に示すように、別体として形成した被覆部４を、塗布部２を被覆するように把握部３の裏面側に接着してもよい。
【００６７】
このような形態とすることで、各々の部材を容易に形成することができ、また、把握部３と被覆部４とを接着することにより、本発明の内装材用接着剤塗布具１を容易に製造することができる。
【００６８】
（緩衝材）
本実施形態の内装材用接着剤塗布具１は、図６（ａ）に示すように、把握部３の塗布部２が形成される側の端縁部と被覆部４との間に塗布部２を形成する不織布が挟持されている。
本実施形態の場合、図６（ａ）に示すように、把握部３の端縁部３ａに緩衝材６が設けられていることが好ましい。
上記緩衝材６が設けられることで、接着剤塗布時に、塗布部２を形成する不織布が把握部３を介して受ける上方向からの押圧力を分散することができる。上方向からの押圧力を分散することが可能であると、不織布と把握部３の端縁部３ａとが接触することにより生じる不織布の破断を防ぐことができる。特に、床材の施工対象となるモルタルやコンクリート等の硬い下地面に接着剤を塗布する場合は、不織布が破断しやすいので、緩衝材６を設けるのが望ましい。
【００６９】
緩衝材６は、把握部３と一体的に形成されていても、別体として形成されていても良いが、別体として形成すると、把握部３と緩衝材６とを各々に適した材質で構成することができる。
【００７０】
上記緩衝材６は図７（ａ）に示すように、側面視略楕円形状の緩衝材本体６ａに、嵌合溝６ｂが設けられた形状に形成され、図６（ａ）に示すように、嵌合溝６ｂに把握部３の端縁部３ａが嵌合され、接着剤によって固定されている。上記緩衝材本体６ａは、図７に示すように、側面視楕円形状（図７（ａ））、涙滴形状（図７（ｂ））、円形状（図７（ｃ））、横長楕円形状（図７（ｄ））などの側面視曲線形状に形成されていることが好ましい。
側面視曲線形状であると、角部がないため、内装材用接着剤塗布具１と下地面との当接角度に関わらず下地面上を滑らかに摺動することができるため、施工性に優れる。中でも、特に側面視楕円形状は、嵌合溝６ｂの深さＤ６に対して緩衝材本体６ａ表面の曲率を小さくすることができるので、最も好適である。嵌合溝６ｂの深さＤ６を深くできることにより、上記緩衝材６を把握部３に強固に固定できると共に、緩衝材本体６ａの曲率を小さくすることにより、境界部や角部の施工箇所の施工も容易に行うことができる。
特に、床材が施工対象となる場合は、小さい曲率によって壁面近傍の下地面まで接着剤を容易に塗布できるので、緩衝材本体６ａを側面視楕円形状とすることが好ましい。
【００７１】
本発明の内装材用接着剤塗布具は、緩衝材６を把握部３と別体で備える場合には、上記把握部３を緩衝材６の嵌合溝６ｂに嵌合させて接着剤等で接着し、その上から不織布を、緩衝材６と、把握部３の一部とを被覆するように接着剤を用いて接着することにより製造することができる。このように嵌合溝６ｂを設けることにより、緩衝材６を把握部３に強固に固定することができるので、施工作業時に把握部３と分離することがなく、高い耐久性を維持することが可能となる。
図８は、本実施形態の内装材用接着剤塗布具１の製造過程で、上記把握部３を緩衝材６の嵌合溝６ｂに嵌合させた状態を示す平面図である。図８に示すように、内装材用接着剤塗布具１の上記緩衝材６は、把握部３の塗布部２が設けられる側の端縁部を被覆していることが好ましい。このような形態であると、内装材用接着剤塗布具１と下地面とが当接する際に不織布にかかる押圧力を均等に分散することができ、効率的に不織布の破断を抑制することができる。
【００７２】
図６（ａ）は、内装材用接着剤塗布具１下部端縁部の拡大断面図である。図６（ａ）に示される緩衝材６の高さＬ６は、５〜２０ｍｍであることが好ましい。７〜１５ｍｍであることがより好ましく、８〜１２ｍｍであることがさらに好ましい。
高さＬ６が高すぎると、内装材用接着剤塗布具１の重量が増加し、作業性に劣るおそれがある。また、高さＬ６が低すぎると、把握部３の端縁部を十分に被覆できないおそれがある上、嵌合溝６ｂの深さを充分に確保できずに緩衝材６が充分に固定できないおそれがある。
【００７３】
また、上記緩衝材６の厚みＴ６は、１．０〜５．０ｍｍであることが好ましく、１．５〜３．０ｍｍであることがより好ましい。
上記厚みＴ６が余りに厚いと、境界部や角部などの施工箇所に内装材用接着剤塗布具１の先端部が当接し難くなり、施工効率が低下するといった不具合が生じるおそれがある。また、あまりに厚いと内装材用接着剤塗布具１の重量が増加して作業性に劣るおそれがある。また、厚みＴ６が余りに薄いと、緩衝材６の耐久性が劣るおそれがある。
【００７４】
上記緩衝材６を形成する材料としては、接着剤塗布時に内装材用接着剤塗布具１の先端に加わる衝撃を緩衝する作用を有し、不織布の破断を抑制することができれば特に限定されないが、例えば、合成ゴム材や合成樹脂などが挙げられる。
上記合成樹脂としては、軟質塩化ビニル樹脂、ウレタン樹脂、ＳＢＲ樹脂、または、ＮＢＲ樹脂、若しくは、塩化ビニル樹脂、ウレタン樹脂、ポリエチレン樹脂の、樹脂発泡体などの緩衝作用にすぐれた樹脂を用いることができる。
なかでも、成形が容易で、緩衝作用と耐久性に優れる点で軟質塩化ビニル樹脂が好ましい。
【００７５】
以上説明した内装材用接着剤塗布具１によれば、図１〜３に示すように、塗布部２が不織布により形成されているので、リフォームにおいて、例えば、既存の床材上に新しい床材を張る場合であっても、床材表面を傷付けずに接着剤を塗布することができるようになる。
また、厚みが薄い床材を張る場合であっても、従来の櫛目ごてを用いて接着剤を塗布した場合と異なり、接着剤の山形形状が床材表面に現れて床面に微細な凹凸の筋が視認されることがない。
また、モルタル等の、硬く、表面に凹凸が存在する下地上に床材を張る場合であっても、従来の櫛目ごてのように櫛目凸部の先が磨耗することがないので、施工作業の開始時から終了時にわたって安定した塗布量を示すことができる。
【００７６】
さらに、内装材用接着剤塗布具１の裏面側に、不織布を被覆する被覆部４を設けることにより、裏面側の不織布の壁面への接触を抑制し、施工時に壁紙等の部材の汚染を防止できる。
【００７７】
上記内装材用接着剤塗布具１は、下地面を傷付けず、壁紙等の他の部材を汚染せず、耐久性、塗布量安定性、均一塗布性が要求される床材用接着剤塗布具として、特に有用である。
【００７８】
また、図３に示すように、塗布部２の裏面側２ｃを被覆する被覆部４の先端４ｂと塗布部２の先端２ｂとの距離Ｌ２１を適切な範囲とすることで、上記距離Ｌ２１が短すぎるために被覆部４の先端４ｂが下地面に接して、塗布された接着剤を擦り取ってしまうことを抑制し、また、上記距離Ｌ２１が長すぎるために裏面側の不織布が壁面に接触して壁紙を汚染することを抑制し、且つ、施工者の指が汚染されることにより、壁紙等の部材を間接的に汚染することを抑制することができる。
【００７９】
また、塗布面側の塗布部２が、被覆部４により被覆されてなる構成とすることで、塗布面側の被覆部４が、不織布を挟持して不織布を強固に保持することができ、且つ、塗布面側の不織布の過剰な接着剤の含有を抑制することができる。
【００８０】
また、塗布部側面が、塗布部側面被覆部５に被覆されてなる構成とすることで、壁際の床面に接着剤を塗布する際に、不織布の壁面への接触を防止することにより、壁面の汚染を抑制することができる。
【００８１】
また、把握部３にリブ３１が形成されてなる構成とすることで、把握部３の強度を向上させることができ、塗布時に把握部３が押圧されて生じる把握部３の反りを抑制することができる。
【００８２】
また、不織布の目付けを適切な範囲とすることで、施工者の力加減により塗布量がばらつくことなく一定の塗布量で塗布することができ、下地面の不陸に追従することができるため塗りムラが発生し難く、下地面に接着剤を均一に塗布することが可能となる。
さらに、不織布の目付けを適切な範囲とすることで、刷毛と、下地面上の凹凸部分とが接触する衝撃を緩和することができるため、手の疲労を軽減して作業性の低下を抑制することができる。
【００８３】
また、不織布に樹脂を含浸させることにより、不織布を構成する繊維が保護されるので、不織布の磨耗が少ない。また、不織布が押圧されても不織布中に一定の空隙を保持することができるので、接着剤の塗布量をより一定に保つことができる。
【００８４】
また、上記樹脂の含浸量を、不織布１００質量部に対して１０〜３００質量部とすることにより、上述した不織布の磨耗量の減少効果や接着剤塗布量の保持効果を十分に発揮することができる。
【００８５】
また、上記樹脂としてアクリル樹脂を用いることにより、硬化したアクリル樹脂の耐久性により不織布の磨耗を抑制し、且つ、内装材用接着剤塗布具１が下地面に押圧されても不織布が一定の空隙をより強固に保持することにより、接着剤の塗布量を一定に保つことができる。
【００８６】
また、内装材用接着剤塗布具１の形状を平面視台形とすることにより、取り回しがよく作業性に優れ、且つ、下地面と不織布との接触面積が広い、塗布効率に優れた内装材用接着剤塗布具とすることができる。
【００８７】
特に、塗布部２の形状を平面視台形とすることにより、部屋の入隅部に壁面に沿って床材用接着剤を塗布する場合であっても、塗布部２が壁面に接触し難いため壁面を汚し難い。
【００８８】
さらに、図６（ａ）に示すように、裏面側の被覆部４と把握部３とを一体的に形成せず別体として形成し、把握部３の端縁部と被覆部４との間に塗布部２を形成する不織布が挟持される場合、把握部３の、塗布部２が形成される側の端縁部３ａに緩衝材６を設けることにより、不織布が下地面と把握部３の端縁部３ａの角部とに挟まれて押圧されることによる破断を抑制することができる。
【００８９】
なお、本発明は上記の実施形態に限らず、種々の変更、変形が可能である。
【００９０】
例えば、上記の実施形態では、把握部３が台形である例を示したが、これに限らず、長方形、正方形、その他の形状に構成することができる。
【００９１】
また、上記の実施形態では、図６（ａ）に示したように、裏面側の被覆部４と把握部３とを一体的に形成せず別体として形成し、把握部３の端縁部と被覆部４との間に塗布部２を形成する不織布が挟持される場合、図８のように、緩衝材６が、把握部３の塗布部２が設けられる側の端縁部を連続して被覆している例を示したが、これに限らず、図９に示すように、部分的に被覆する形態とすることも可能である。
このような形態とすることで、被覆部４の長さや把握部３との距離などを他の部材から比較的自由に設定することができるので、被覆部４の機能をより効果的なものとすることができる上、緩衝材６の製造、及び、把握部３への取り付けが容易となり、原料コストを安価に抑えることもできる。
緩衝材６が、把握部３の塗布部２が設けられる側の端縁部を部分的に被覆する形態とする場合、緩衝材６は、図９に示すように把握部３の塗布部２が設けられる側の端縁部の両端を被覆することが好ましい。
本発明の内装材用接着剤塗布具１を用いて下地面上に接着剤を塗布する場合、把握部３の端縁部の両端に最も押圧力がかかり、当該部分の不織布が破断しやすいため、この部分に緩衝材６を設けると、効率よく不織布の破断を抑制することができる。
【実施例】
【００９２】
以下、本発明の実施例を示す。ただし、本発明は、下記実施例に限定されるものではない。
【００９３】
[実施例１]
ポリプロピレン樹脂により、把握部と、裏面側の塗布部を被覆する被覆部とを一体的に形成した。把握部は、上辺１１５ｍｍ、底辺１９５ｍｍ、高さ１２５ｍｍであった。把握部外周には、上辺、及び、これに連続する二辺上に、高さ１ｍｍ、幅３ｍｍのリブを形成した。
次に、塗布部を形成する不織布として、ＳＨＩＮＥＸ社製研磨布（商品名「サンドシート」）を用意し、幅１９５ｍｍ、長さ３０ｍｍの大きさに切断した。不織布の厚みは６ｍｍであり、目付けは２００g／ｍ２であった。
次に、アクリル樹脂７０ｇを水３０ｇに分散させ、この分散液に採寸切断した不織布を浸漬した。これを、オーブンにより１２０℃の条件下で５分間乾燥させた。得られた不織布の樹脂含浸率は、不織布１００質量部に対して、２１０質量部であった。
なお、上記樹脂含浸率は、樹脂含浸前の不織布の重量と樹脂含浸後の不織布の重量との差を算出することにより得られた、不織布全体の樹脂含浸量を、不織布１００質量部あたりの樹脂含浸量に換算して得られた値である。
次に、このようにして得られた不織布の幅方向の切断面の一方を、裏面側の塗布部を被覆する被覆部の先端に接着した。不織布の幅方向の他方の切断面を塗布面側に折り返し、塗布面側に接着した。
次に、塗布面側に接着された不織布を、塗布部先端から１０ｍｍの幅を残して、ポリプロピレン樹脂により形成された塗布面側被覆部材で被覆して、塗布面側被覆部を形成した。
最後に、塗布部側面に、ポリプロピレン樹脂により形成された側面被覆部材を接着して側面被覆部を形成することにより内装材用接着剤用塗布具を得た。
得られた内装材用接着剤塗布具は、裏面を被覆する被覆部の先端と、塗布部先端との距離が５ｍｍであった。また、塗布面側に形成された被覆部先端と、塗布部先端との距離は１０ｍｍであった。
【００９４】
[実施例２]
裏面側の塗布部を被覆する被覆部の先端と、塗布部先端との距離を０．５ｍｍとしたこと以外は上記実施例１と同様にして内装材用接着剤塗布具を作製した。
【００９５】
[実施例３]
裏面側の塗布部を被覆する被覆部の先端と、塗布部先端との距離を１３ｍｍとしたこと以外は上記実施例１と同様にして内装材用接着剤塗布具を作製した。
【００９６】
[実施例４]
塗布面側被覆部を設けなかったこと以外は上記実施例１と同様にして内装材用接着剤塗布具を作製した。
【００９７】
[実施例５]
側面被覆部を設けなかったこと以外は上記実施例１と同様にして内装材用接着剤塗布具を作製した。
【００９８】
[実施例６]
把握部にリブを設けなかったこと以外は上記実施例１と同様にして内装材用接着剤塗布具を作製した。
【００９９】
[実施例７]
把握部と、裏面側の塗布部を被覆する被覆部とを別体として形成し、把握部端縁部に緩衝材を設けたこと以外は実施例１と同様にして内装材用接着剤塗布具を作製した。
緩衝材は、軟質塩化ビニル樹脂を１８０℃で溶融した後、押出し成形し、カッターを用いて長さ１５０ｍｍに切断することにより作製した。この緩衝材の形状は、断面視略楕円形状であって、把握部の底辺側の端縁部を被覆することができるように、把握部端縁部が嵌合するための溝部を有する形状であった。また、緩衝材の高さは１０ｍｍであり、厚みは２ｍｍであった。
【０１００】
[実施例８]
不織布として、目付けが２６０g／ｍ２のものを用いたこと以外は上記実施例１と同様にして内装材用接着剤塗布具を作製した。
【０１０１】
[実施例９]
不織布として、目付けが３５０g／ｍ２のものを用い、不織布の樹脂含浸率を、不織布１００質量％に対して２１０質量％としたこと以外は上記実施例１と同様にして内装材用接着剤塗布具を作製した。
【０１０２】
[実施例１０]
不織布として、目付けが２６０g／ｍ２のものを用い、不織布の樹脂含浸率を、不織布１００質量％に対して１５質量％としたこと以外は上記実施例１と同様にして内装材用接着剤塗布具を作製した。
【０１０３】
[実施例１１]
不織布として、目付けが２６０g／ｍ２のものを用い、不織布に樹脂を含浸させなかったこと以外は上記実施例１と同様にして内装材用接着剤塗布具を作製した。
【０１０４】
[実施例１２]
不織布として、目付けが１５０g／ｍ２のものを用いたこと以外は上記実施例１と同様にして内装材用接着剤塗布具を作製した。
【０１０５】
[実施例１３]
不織布として、目付けが５５０g／ｍ２のものを用いたこと以外は上記実施例１と同様にして内装材用接着剤塗布具を作製した。
【０１０６】
[比較例１]
裏面側の被覆部を形成しなかったこと以外は上記実施例１と同様にして内装材用接着剤塗布具を作製した。
【０１０７】
[比較例２]
裏面側の被覆部、及び、塗布面側被覆部を形成しなかったこと以外は上記実施例１と同様にして内装材用接着剤塗布具を作製した。
【０１０８】
[比較例３]
接着剤塗布具として、被覆部が形成されていないスチール製のＪＩＳ櫛目ごて（ＪＩＳ−Ａ−５５３６規格品）を用意し、これを比較例３とした。
【０１０９】
［評価］
壁紙が施工された壁際に、下地面としてクッションフロア下地（東リ株式会社製）が施工された部屋を用意した。実施例１〜７、比較例１、及び、２の内装材用接着剤塗布具を用いて、下地面上にアクリル樹脂エマルション系接着剤（東リ株式会社製、商品名「エコＧＡセメント」）を塗布した。以下の評価を行った。
【０１１０】
［指汚染性評価］
塗布後の施工者の指の汚染性を、下記の基準に従って評価した。
○…接着剤が裏面側に乗り上げず、施工者の指に接着剤が付着しない。△…接着剤が裏面側に若干乗り上げ、施工者の指をわずかに汚染する。×…接着剤が裏面側に乗り上げ、作業中に指に接着剤が付着する。
結果を表１に示した。
【０１１１】
［壁紙汚染性評価］
壁面と床面とにより形成される入隅部（境界部）の下地面に上記床材用接着剤を塗布し、壁面に施工された壁紙の汚染性を、下記の基準に従って評価した。
○…壁紙に接着剤が付着せず、壁紙が汚染されない、△…壁紙に接着剤が少量付着し、壁紙が若干汚染される、×…壁紙に接着剤が付着し、壁紙が汚染される。
結果を表１に示した。
【０１１２】
［作業性評価］
塗布時の作業性を、下記の基準に従って評価した。
○…塗布によっても把握部が反ることなく、スムーズに塗布できる、△…塗布により、時折把握部が反る、×…塗布により把握部が反る。
結果を表１に示した。
【０１１３】
［擦り取り性評価］
塗布時の擦り取り性を、下記の基準に従って評価した。
○…塗布によっても裏面の被覆部先端が下地面に接さず、問題なく接着剤を塗布できる、△…時折裏面被覆部先端が下地面に接触し、塗布された接着剤を若干擦り取ってしまう、×…塗布によって裏面被覆部先端が下地面に接触し、塗布された接着剤を部分的に擦り取ってしまう。
結果を表１に示した。
【０１１４】
次に、下地面として、Ｄ種フローリング下地（大建工業社製）、クッションフロア下地（東リ株式会社製）、モルタル下地（日本テストパネル社製）を用意した。実施例１、８〜１３、及び、比較例３の内装材用接着剤塗布具を用いて、各下地面上に、アクリル樹脂エマルション系接着剤（東リ株式会社製、商品名「エコＧＡセメント」）を塗布した。各下地面について、以下の評価を行った。
【０１１５】
［塗布性評価］
塗布時の感触を、下記の基準に従って評価した。
○…下地面上の凹凸に引掛かることなくスムーズに塗布できる、△…時折下地面上の凹凸に引掛かる、×…下地面上の凹凸に引掛かる。
結果を表２に示した。
【０１１６】
［塗りムラ性評価］
各下地表面に塗布された接着剤の塗布状態を、目視により、下記の基準に従って評価した。
○…塗りムラがなく均一に塗布されている、△…塗りムラが若干発生している、×…塗りムラが発生している。
結果を表２に示した。
【０１１７】
［塗布安定性評価］
下地面として、Ｄ種フローリング下地（大建工業社製）、クッションフロア下地（東リ株式会社製）、モルタル下地（日本テストパネル社製）を用意した。実施例１、８〜１３、及び、比較例３の内装材用接着剤塗布具を用いて、各下地面上に、アクリル樹脂エマルション系接着剤（東リ株式会社製、商品名「エコＧＡセメント」）を塗布した。
塗布する際に、施工者が内装材用接着剤塗布具を下地面に対して、軽く当接させて塗布する場合と、強く押し付けて塗布する場合とに分けて塗布量を測定し、これらの差を算出した。
結果を表３に示した。
【０１１８】
［耐久性評価］
下地面として、Ｄ種フローリング下地（大建工業社製）、クッションフロア下地（東リ株式会社製）、モルタル下地（日本テストパネル社製）を５０ｍ２用意した。実施例１、８〜１３、及び、比較例３の内装材用接着剤塗布具を用いて、各下地面上に、アクリル樹脂エマルション系接着剤（東リ株式会社製、商品名「エコＧＡセメント」）を塗布した。
塗布開始時と、塗布終了時との塗布量をそれぞれ測定し、これらの差を算出した。
結果を表４に示した。
【０１１９】
なお、上記評価について、下地面上の塗布量は、予め重量を測定した各下地に接着剤を塗布し重量測定して、塗布前との差を算出することにより得た値である。
【０１２０】
【表１】
0005665225.tif 000002
【０１２１】
【表２】
0005665225.tif 000003
【０１２２】
【表３】
0005665225.tif 000004
【０１２３】
【表４】
0005665225.tif 000005
【０１２４】
［結果］
（指汚染性評価）
表１の結果から、裏面被覆部が形成された実施例１、２、及び、４〜７の内装材用接着剤塗布具は、裏面への接着剤への乗り上げを防止することができ、これにより施工者の指の汚染を抑制することができた。
実施例３の内装材用接着剤塗布具は、裏面被覆部が形成されているが、裏面被覆部先端と塗布部先端との距離が離れているので、裏面において不織布の露出部分がやや多いため、接着剤が裏面側に若干乗り上げ、施工者の指をわずかに汚染した。
一方、比較例１、及び、２の内装材用接着剤塗布具は、裏面被覆部が形成されていないため、接着剤が裏面側へ乗り上げ施工者の指に付着して、施工者の指を汚染した。
【０１２５】
（壁紙汚染性評価）
表１の結果から、裏面被覆部、及び、塗布部側面被覆部が形成された実施例１、２、４、６、及び、７の内装材用接着剤塗布具は、接着剤を含んだ不織布と壁紙との接触が抑制され、入隅部の下地面に床材用接着剤を塗布しても、壁紙に接着剤が付着せず、壁紙が汚染されなかった。
実施例３の内装材用接着剤塗布具は、裏面被覆部、及び、塗布部側面被覆部が形成されているが、裏面被覆部先端と塗布部先端との距離が離れているので、裏面において不織布の露出部分がやや多いため、壁紙に接着剤が少量付着し、壁紙が若干汚染された。
実施例５の内装材用接着剤塗布具は、裏面被覆部が形成されているが、塗布部側面被覆部が形成されていないため、塗布部側面が壁紙に接触することにより接着剤が少量付着し、壁紙が若干汚染された。
一方、比較例１、及び、２の内装材用接着剤塗布具は、裏面被覆部が形成されていないので、施工時に裏面側へ乗り上げた接着剤が壁面に接触し、壁紙に接着剤が付着し、壁紙が汚染された。
【０１２６】
（作業性評価）
実施例１〜５、及び、７の内装材用接着剤塗布具は把握部にリブが形成されているので、把握部に一定の強度を持たせることができ、塗布時に把握部を押圧しても反りを生じることなく、スムーズに塗布できるため作業性に優れていた。
実施例６の内装材用接着剤塗布具は把握部にリブが形成されていないので、塗布により時折把握部が反った。
【０１２７】
（擦り取り性評価）
実施例１、及び、３〜７の内装材用接着剤塗布具は裏面側の塗布部を被覆する被覆部の先端と塗布部先端との距離が適切であるので、塗布作業時に裏面側の塗布部を被覆する被覆部の先端が下地面に接さず、問題なく接着剤を塗布できた。
実施例２の内装材用接着剤塗布具は、裏面側の塗布部を被覆する被覆部の先端と塗布部先端との距離が小さいので、時折裏面側の塗布部を被覆する被覆部の先端が下地面に接触し、塗布された接着剤を若干擦り取った。このため、下地部面上に、接着剤の塗布が十分でない箇所が若干存在した。
【０１２８】
（塗布性評価）
表２の結果から、塗布部に不織布を用い、不織布の目付けが適量である実施例１、及び、８〜１１の内装材用接着剤塗布具は、全ての下地において、下地面上の凹凸に引掛かることなくスムーズに塗布できた。
また、目付けが少ない実施例１２の内装材用接着剤塗布具は、施工時に、時折下地面上の凹凸に引掛かった。
一方、スチール製のＪＩＳ櫛目ごてである比較例３の内装材用接着剤塗布具では、Ｄ種フローリング下地やクッションフロア下地の目地部分の凹部に引掛かり、これらの下地面において塗布し難かった。
【０１２９】
（塗りムラ性評価）
表２の結果から、塗布部に不織布を用い、不織布の目付けが適量である実施例１、及び、８〜１１の内装材用接着剤塗布具は、下地面の不陸に追従することができるため、全ての下地において接着剤の塗りムラがなく、均一に塗布することができた。
また、目付けが少ない実施例１２の内装材用接着剤塗布具は、下地面の不陸への追従性がやや不十分であるため、全ての下地面において塗りムラが若干発生した。
一方、スチール製のＪＩＳ櫛目ごてである比較例３の内装材用接着剤塗布具では、不陸追従性を示さないため、全ての下地面において塗りムラの発生が著しかった。
【０１３０】
（塗布安定性評価）
表３の結果から、塗布部に不織布を用い、不織布の目付けが適量である実施例１、及び、８〜１２の内装材用接着剤塗布具は、施工者により不織布が下地面に対して押圧されても、不織布中に適度な空隙を保持することができるので、施工者の力加減にかかわらず、内装材用接着剤の塗布量が一定であった。
特に、不織布に樹脂が含浸されている実施例１、８〜１０、及び、１２は、樹脂により不織布を形成する繊維が補強され、不織布が押圧されても空隙を一定に保持することができるので、接着剤の塗布量安定効果が高かった。
また、不織布の目付けが多い実施例１３の内装材用接着剤塗布具は、不織布中の空隙が多すぎて不織布に接着剤が過剰に含まれるため、施工者の力加減によって塗布量が若干変化した。
さらに、スチール製のＪＩＳ櫛目ごてである比較例３の内装材用接着剤塗布具では、施工者により下地面に対して強く押圧されると櫛目が磨耗し、塗布量が大きく減少した。
【０１３１】
（耐久性評価）
表４の結果から、塗布部に不織布を用いた実施例１、及び、８〜１３の内装材用接着剤塗布具は、耐久性に優れ、塗布開始時と塗布終了時とで塗布量が殆ど変化しなかた。
一方、スチール製のＪＩＳ櫛目ごてである比較例３の内装材用接着剤塗布具では、広い面積を塗布すると、下地面との接触により櫛目が磨耗し、塗布量が減少した。この現象は、特に、硬質のモルタル下地において顕著であった。
【産業上の利用可能性】
【０１３２】
本発明の内装材用接着剤塗布具は、一般住宅、マンション、オフィスビルなどの内装材の施工において使用される。
【符号の説明】
【０１３３】
１…内装材用接着剤塗布具、２…塗布部、２ａ…塗布部の塗布面側、２ｂ…塗布部の先端、２ｃ…塗布部の裏面側、Ｌ２１…裏面を被覆する被覆部の先端と塗布部先端との距離、Ｌ２２…塗布面の不織布の長さ、３…把握部、３ａ…把握部の端縁部、Ｈ３…把握部の高さ、Ｌ３ａ…把握部の上辺の長さ、Ｌ３ｂ…把握部の底辺の長さ、４…被覆部、４ａ…先端部塗布面側に形成された略球状の突起、４ｂ…被覆部の先端、５…側面被覆部、６…緩衝材、Ｌ６…緩衝材の高さ、Ｔ６…緩衝材の厚み
【図１】
0005665225.tif 000006
【図２】
0005665225.tif 000007
【図３】
0005665225.tif 000008
【図４】
0005665225.tif 000009
【図５】
0005665225.tif 000010
【図６】
0005665225.tif 000011
【図７】
0005665225.tif 000012
【図８】
0005665225.tif 000013
【図９】
0005665225.tif 000014